(57)【要約】【課題】押さえバネの屈曲部が光ピックアップからの突出しにくくすることで、光ディスクと光ピックアップとの間隔を小さくした薄型の光ディスク装置を提供する。【解決手段】レーザユニット２４により発振されるレーザ光の出射方向と反対方向の面に備えられ、このレーザユニット２４から発生する熱を放射する板状の放熱部２５と、前記レーザユニット２４が回動可能に保持される光学台２３と、一端が光学台２３に固定され、他方の遊端が板状の放熱部２５に押圧される押さえバネ２６とを備え、これら押さえバネ２６および板状の放熱部２５の何れか一方に凸部３０が形成され、他方に係合穴３２が形成され、凸部３０と係合穴３２の縁部とが接触する。【選択図】図７
2008243308.tif 000002
【特許請求の範囲】
【請求項１】
レーザ光を発振するレーザユニットと、
前記レーザユニットにより発振されるレーザ光の出射方向と反対方向の前記レーザユニットの背面に備えられ、前記レーザユニットから発生される熱を放射する放熱部と、
前記レーザユニットが回動可能に保持される光学台と、
一端が前記光学台に固定され、他方の遊端が前記放熱部に押圧される押さえバネとを備え、
前記押さえバネおよび前記放熱部の何れか一方に凸部が形成され、他方に穴が形成され、前記凸部と前記穴の縁部とが接触することを特徴とする光ピックアップ。
【請求項２】
前記凸部は前記穴の縁部と点接触し、かつ、前記凸部と点接触する前記穴の縁部の幅が前記凸部の幅よりも大きいことを特徴とする請求項１に記載の光ピックアップ。
【請求項３】
前記凸部が球面状であることを特徴とする請求項１に記載の光ピックアップ。
【請求項４】
前記凸部と前記穴の縁部とが線接触することを特徴とする請求項１に記載の光ピックアップ。
【請求項５】
前記凸部は球面状であり、かつ前記穴は真円形であることを特徴とする請求項４に記載の光ピックアップ。
【請求項６】
前記押さえバネは前記光学台に沿うようにＬ字形に形成され、所定の曲率半径で屈曲された屈曲部を有することを特徴とする請求項１に記載の光ピックアップ。
【請求項７】
前記穴の縁部との接触部位における前記凸部の断面が半径０．６５ｍｍ以上の円形であり、かつ、前記押さえバネの屈曲部の曲率半径が０．４８ｍｍ以上であることを特徴とする請求項６に記載の光ピックアップ。
【請求項８】
請求項１から７までの何れか１項に記載の光ピックアップと、
光ディスクが載置されるトレイとを備え、
前記トレイに載置された光ディスクに前記レーザユニットにより発振されるレーザ光を照射し、データの読取りおよび書込みの少なくとも一方を行うことを特徴とする光ディスク装置。
【発明の詳細な説明】
【技術分野】
【０００１】
本発明は、光ディスクへレーザ光を照射し、データの読取りのおよび書込みの少なくとも一方を行う光ディスク装置に用いられる光ピックアップに関する。
【背景技術】
【０００２】
従来の光ピックアップは図１８に示すように、光学台５１にレーザユニット５２を挿入し、この状態を押えバネ５３で保持するようにしていた。
【０００３】
すなわち、押えバネ５３は光学台５１と平行に設置されるとともに、遊端５４が屈曲部５５にてＬ字形に折り曲げられて、レーザユニット５２の背部に備えられたシールドケース５６に対向し、その遊端５４に形成された凸部５７をシールドケース５６に点接触するごとく圧接させていた（例えば、特許文献１参照）。
【特許文献１】特開２００１−２６６３８７号公報
【発明の開示】
【発明が解決しようとする課題】
【０００４】
従来の光ピックアップでは、押えバネ５３の遊端５４に形成した凸部５７をシールドケース５６に圧接していたため、組み立て時に凸部５７とシールドケース５６との接触点がずれた場合に、図１９に示すように押えバネ５３の光学台５１と平行な部分５８が光ディスク５９の方に変形して屈曲部５５が光ディスク５９の方向へ突出してしまうおそれがあった。そのため、光ピックアップと光ディスク５９との間に変形に対応する間隔を必要とし、その分、光ディスク装置全体を薄くできないという課題があった。
【０００５】
この課題に対して、組み立て時に少々の寸法的バラツキがあっても凸部５７がシールドケース５６の表面上を滑るように押えバネ５３の弾力を弱くすることも考えられるが、この場合には光学台５１に対するレーザユニット５２の保持が不確実になり、レーザユニット５２の不用意な回転を生起する。
【０００６】
逆に押えバネ５３の弾力を強くするとレーザユニット５２の保持は確実になるが上記のような課題を生じてしまうものであった。
【０００７】
本発明は、従来の課題を解決するためになされたものであり、押さえバネ５３の屈曲部５５が光ピックアップから突出しにくくすることで、光ディスク５９と光ピックアップとの間隔を小さくできる薄型の光ディスク装置を提供することを目的とする。
【課題を解決するための手段】
【０００８】
本発明の光ピックアップは上記目的を達成するためのものであり、レーザ光を発振するレーザユニットと、前記レーザユニットにより発振されるレーザ光の出射方向と反対方向の面に備えられ、前記レーザユニットから発生する熱を放射する放熱部と、前記レーザユニットが回動可能に保持される光学台と、一端が前記光学台に固定され、他方の遊端が前記放熱部に押圧される押さえバネとを備え、前記押さえバネおよび前記放熱部の何れか一方に凸部が形成され、他方に穴が形成され、前記凸部と前記穴の縁部とが接触するようにしたものである。したがって、押さえバネの放熱部に対する押圧部位にずれが発生することがなくなる。
【発明の効果】
【０００９】
本発明は、押さえバネおよび放熱部の何れか一方に凸部が形成され他方に穴が形成され
、凸部と穴の縁部とが接触するようにしたため接点の摩擦力が向上する。この結果、従来の光ピックアップと比べ、押さえバネの位置が定まりやすく、押さえバネの屈曲部が光ピックアップから突出しにくくなる。本発明の光ピックアップにより、光ディスクと光ピックアップとの間隔を小さくした薄型の光ディスク装置を提供することができる。
【発明を実施するための最良の形態】
【００１０】
本発明は、レーザ光を発振するレーザユニットと、レーザユニットにより発振されるレーザ光の出射方向と反対方向のレーザユニットの背面に備えられ、レーザユニットから発生される熱を放射する放熱部と、レーザユニットが回動可能に保持される光学台と、一端が光学台に固定され、他方の遊端が放熱部に押圧される押さえバネとを備え、押さえバネおよび放熱部の何れか一方に凸部が形成され、他方に穴が形成され、凸部と穴の縁部とが接触する光ピックアップである。
【００１１】
凸部は穴の縁部と点接触し、かつ、凸部と点接触する穴の縁部の幅が凸部の幅よりも大きくするようにした。
【００１２】
凸部は穴の縁部と線で接触することができる。凸部が球面状に形成されることも実施の形態として考えられる。
【００１３】
また、凸部は球面状であり、かつ穴は真円形で形成されることも実施の形態として考えられる。このとき、凸部は穴の縁部と線接触するため、点接触と比べ接点の摩擦力がより向上する。
【００１４】
押さえバネは光学台に沿うようにＬ字形に形成され、所定の曲率半径で屈曲された屈曲部を有することも実施の形態として考えられる。
【００１５】
また、本発明の光ピックアップは光ディスクにレーザユニットにより発振されるレーザ光を照射し、データの読取りおよび書込みの少なくとも一方を行う光ディスク装置に用いられることも有効な実施の形態である。
【実施例】
【００１６】
（実施例１）
以下、本発明の実施例１について図面を参照して説明する。
【００１７】
図１〜図３において、カーオーディオ装置１には、光ピックアップ３を具備した光ディスク装置２と、ラジオ受信部４と、カセットテープ記録再生装置５とが内蔵されており、前面パネル６には表示部７と、電源の投入／切断およびボリューム調整のための調整つまみ８と、光ディスク装置２へ光ディスクを挿入する光ディスク挿脱口９と、ラジオ用チューニングつまみ１０と、カセットテープ挿入口１１とが設けられている。
【００１８】
光ディスク装置２の本体１３には、光ディスク１２を載置するための６枚のトレイ１４がそれぞれ上下移動自在に配置される。光ディスク装置２は、トレイ１４に載置された光ディスクに光ピックアップ３から発振されるレーザ光を照射し、データの読取りおよび書込みの少なくとも一方を行う。トレイ１４の外側にはそれを取り囲む形状の昇降板１５が設けられる。昇降板１５を上下移動させることで所望のトレイ１４を選択して、所定高さの作業空間Ｓを設けることができる。
【００１９】
また、回動アーム１７が支軸１６を中心として矢印Ａの方向へ向かって回動自在に設けられるとともに、支軸１６に沿って上下移動自在に設けられている。
【００２０】
また、回動アーム１７は平板状のサスシャーシ１８と、ターンテーブル１９と、光ピックアップ３と、駆動モータ２０と、リードスクリュ２１とを備える。サスシャーシ１８の基端側が支軸１６により回転自在に支持されていて、サスシャーシ１８の先端部には光ディスク１２を保持して回転するターンテーブル１９が設けられている。また、サスシャーシ１８には、光ディスク１２に照射するレーザ光を発振する光ピックアップ３が備えられる。
【００２１】
また、サスシャーシ１８は、光ピックアップ３をサスシャーシ１８に沿って往復移動させるための駆動モータ２０およびリードスクリュ２１を備える。
【００２２】
以上のように構成されたカーオーディオ装置１について、光ディスク１２に記録された音楽が再生されるときの動作を説明する。
【００２３】
まず、光ディスク挿脱口９から挿入された光ディスク１２は、トレイ１４に載置される。光ディスク１２は複数枚挿入できる。利用者が前面パネル６に備えられた操作スイッチにより特定の光ディスク１２の再生を行うように操作すると、特定された光ディスク１２の下側に所定高さの作業空間Ｓが設けられるようにトレイ１４が移動する。トレイ１４の移動と同時に回動アーム１７が作業空間Ｓに対応するように上下移動される。
【００２４】
回動アーム１７は、上下移動された後、支軸１６を中心に光ディスク１２上の所定の再生位置まで移動される。その後、回動アーム１７に設けられた光ピックアップ３からレーザ光が発振され光ディスク１２に照射される。
【００２５】
レーザ光の発振後、光ディスク１２はターンテーブル１９により回転させられる。光ピックアップ３はスシャーシ１８に沿って移動しながら、光ディスク１２により反射されたレーザ光を受光する。受光されたレーザ光に基づいて光ディスク１２に記録されたデータが解読され、音楽として再生される。
【００２６】
図４〜図６に示すように、光ピックアップ３は、対物レンズ２２と、光学台２３と、レーザユニット２４と、板状の放熱部２５と、押さえバネ２６とを備える。
【００２７】
レーザユニット２４は、図示しないレーザ光を発振するための発振素子およびレーザ光を受光し電気信号に変換する受光素子とを内蔵している。
【００２８】
レーザユニット２４から発振されたレーザ光は光学台２３に内蔵された図示しないプリズムなどの光学素子を通過し対物レンズ２２から光ディスク１２へ照射される。
【００２９】
また、レーザユニット２４はレーザ光の出射方向と反対方向の部位、すなわち背面に板状の放熱部２５を備えている。レーザユニット２４はレーザ光の発振素子および受光素子へ流れる電流によって発熱し、しかも樹脂で封止されているため熱が内部にこもりやすい構造になっているので、板状の放熱部２５からその熱が放射されるようにしている。
【００３０】
レーザユニット２４は光学台２３の光学台凹部２８に回動調整可能な状態で嵌合される。また、レーザユニット２４に備えられた板状の放熱部２５は、レーザ光の出射方向と反対方向からレーザ光の出射方向へ向かって押さえバネ２６により圧接される。これにより、レーザユニット２４は光学台２３の光学台凹部２８に回動可能に保持される。
【００３１】
押えバネ２６は光学台２３と平行に設置されるとともに係止爪２９により光学台２３に係止される。また、押えバネ２６の遊端２６ａは屈曲部３１にてＬ字形に折り曲げられ、レーザユニット２４の背部に備えられた板状の放熱部２５に対向し、その遊端２６ａに形
成された凸部３０は板状の放熱部２５に接触する。板状の放熱部２５には凸部３０と相接触するための貫通穴である係合穴３２が形成される。
【００３２】
板状の放熱部２５にはさらに、調整穴２７が形成される。調整穴２７へは図示しない調整ピンが挿入される。調整ピンを回転させることにより板状の放熱部２５が回動し、これに伴い板状の放熱部２５と一体であるレーザユニット２４も回動する。レーザユニット２４を回動させることで、光ピックアップ３の組立ての際に光ディスク１２に照射されるレーザ光の位置を微調整するグレーティング調整が行われる。
【００３３】
グレーティング調整の後、調整ピンは取り外されレーザユニット２４は接着剤で光学台２３に固定される。押さえバネ２６は、調整ピンの取り外し後、レーザユニット２４が接着剤で光学台２３に固定されるまでの間、レーザユニット２４の位置がグレーティング調整時の位置から移動しないようにするための役割を持つ。そのため、押さえバネ２６は調整ピンを回転させるときに所定以上のトルクを有するだけの弾力を要する。
【００３４】
凸部３０と係合穴３２との係合について、図７および図８を用いて詳細に説明する。
【００３５】
図７に示すように押さえバネ２６は屈曲部３１を有し、光学台２３に沿うように備えられる。レーザユニット２４がレーザ光を発振する方向は矢印Ｂの方向であり、矢印Ｂと反対の方向にあるレーザユニット２４の背面に板状の放熱部２５が備えられる。
【００３６】
凸部３０は半球状に形成され、板状の放熱部２５に形成された係合穴３２の縁部と接点３３および接点３４とで点接触する。凸部３０は半球状であるため、図８の破線３５で示すようにその断面は所定の半径Ｋを持つ円形となる。凸部３０の断面が円形であることで、板状の放熱部２５は回転可能となる。
【００３７】
係合穴３２は、例えば所定長Ｌを短辺とする方形で形成される。所定長Ｌは凸部３０の半径Ｋの２倍、すなわち凸部３０の断面の直径と同じ大きさとなる。また、係合穴３２の長辺の幅は凸部３０の幅である半径Ｋの２倍より大きく、係合穴３２は長方形となる。凸部３０は、長方形となるように形成された係合穴３２の長辺と点接触する。
【００３８】
放熱部２５がレーザユニット２４の背部に備えられる際に加工ばらつきが発生する場合がある。加工ばらつきにより係合穴３２の位置がずれてしまうと、凸部３０が係合穴３２と係合できなくなる。しかし、係合穴３２が長方形で形成され凸部３０と点接触させることで、長辺の方向に余裕を持たせることができる。これにより、加工ばらつきで係合穴３２が長辺の方向にずれても、凸部３０は係合穴３２と係合することができる。
【００３９】
屈曲部３１に近い側の接点３３で凸部３０と係合穴３２の縁部とが接触することで、凸部３０が移動しようとするときの摩擦力が向上する。その結果、押さえバネ２６の位置がずれにくくなり、押さえバネ２６の屈曲部３１が光ディスク１２の方向へ突出しにくくなる。
【００４０】
なお、係合穴３２の縁部が凸部３０と接触するものであれば、係合穴３２の形状は問わない。
【００４１】
（実施例２）
図９を用いて本発明の実施例２について説明する。実施例２は実施例１と比べ係合穴３２の形状が異なる。実施例１と同一の構成は実施例１と同一の符号を付し説明は実施例１のものを援用する。
【００４２】
本実施例は係合穴３２を真円形としたものである。この場合、係合穴３２の縁部と凸部３０とは線接触（線３６で接触）する。係合穴３２の半径Ｍと、凸部３０と係合穴３２の縁部との接触部分の凸部３０の断面の半径は同じになる。
【００４３】
係合穴３２の縁部が凸部３０と接触するものであれば、係合穴３２の形状は問わないが、凸部３０と係合穴３２の縁部とが光ディスク１２のある側で接する面積ができるだけ大きい方が、摩擦力が向上するため好ましい。実施例２において、凸部３０の断面は真円形であり、係合穴３２の形状も真円形であるので、線接触となり実施例１と比べてより摩擦力が向上する。
（実施例３）
図１０、図１１を用いて本発明の実施例３について説明する。実施例３は実施例１と比べ凸部３０が異なる。実施例１と同一の構成は、実施例１と同一の符号を付し説明は実施例１のものを援用する。
【００４４】
本実施例は凸部３０を係合穴３２の縁部と光ディスク１２方向のみで点接触（接点３７で接触）したものである。実施例１と同様に、実施例３においても押さえバネ凸部３が移動する際の摩擦力が向上し、押さえバネ２６が光ディスク１２の方向へ突出しにくくすることができる。
【００４５】
また、凸部３０は図１２に示すように円錐状であってもよい。また、凸部３０の断面は円形であればよい。円形は真円形だけでなく楕円形でもよいが、グレーティング調整のためレーザユニット２４を円滑に回動させるためには凸部３０の断面は真円形であることが好ましい。
（実施例４）
図１３を用いて本発明の実施例４について説明する。実施例４は実施例１と比べ凸部３０の屈曲部３１の形状が異なる。実施例１と同一の構成は、実施例１と同一の符号を付し説明は実施例１のものを援用する。
【００４６】
本実施例は屈曲部３１を所定の曲率半径で形成したものである。屈曲部３１を直角に形成した場合、凸部３０が係合穴３２からずれると、図１４に示すようにＮだけ突出してしまう。図１３に示すように屈曲部３１を所定の曲率半径で湾曲させた場合、図１５に示すように凸部３０が係合穴３２からずれても、光ディスク１２側への突出量はＰとなり、屈曲部３１を直角に形成した場合の突出量Ｎに比べて小さくすることができる。
【００４７】
図１６および図１７に、実施例１および４における実験結果のグラフを示す。
【００４８】
図１６は凸部３０の断面の半径Ｋｍｍと、調整ピンを回転させるときのトルクｇ・ｍｍとの関係を示すグラフである。レーザユニット２４の位置がグレーティング調整時の位置から移動しないようにするためには、５５０ｇ・ｍｍ以上のトルクが必要となる。
【００４９】
従来の光ピックアップは５５０ｇ・ｍｍのトルクが発生できるだけの弾力を有した押さえバネ５３を用いていて、凸部５７をシールドケース５６に点接触させていた。凸部５７の半径を変化させても点接触であることに変わりはなく、グラフ７０に示すようにトルクは変化しなかった。
【００５０】
一方、本発明の実施例１および実施例４では、図８で説明した半径Ｋを大きくすると接点３３と接点３４との距離が大きくなるので、広い幅で凸部３０が板状の放熱部２５を圧接することとなり、トルクも大きくなる。
【００５１】
従来の光ピックアップにて約３００ｇ・ｍｍのトルクを有する押さえバネ５３を用いて
、本発明の実施例１および実施例４にて半径Ｋを変化させたときのトルクをグラフ７１に示す。本発明の実施例１，４においては半径Ｋを０．６５ｍｍとすると、約３００ｇ・ｍｍのトルクを有する凸部３０を用いても５５０ｇ・ｍｍのトルクを生じさせることができる。
【００５２】
このように、本発明の実施例１および実施例４においては、半径Ｋを調整することで従来よりも弾力の弱い押さえバネ２６を用いることができる。
【００５３】
図１７に屈曲部３１の曲率半径を変化させたときの、屈曲部３１の光ディスク１２側への最大突出量（ｍｍ）を示す。グラフ７２は従来の光ピックアップのグラフであり、５５０ｇ・ｍｍのトルクを生じさせることができる押さえバネ５３を用いている。
【００５４】
曲率半径がゼロ、すなわち、屈曲部５５が直角の場合は約０．８ｍｍ突出する。
【００５５】
曲率半径は、大きくしすぎると光学台２３と接触してしまうため、最大約１ｍｍまでしか大きくできない。曲率半径を大きくすると最大突出量を減らすことができるが、曲率半径を最大値である約１ｍｍとしても従来の光ピックアップでは最大突出量を約０．２２ｍｍまでしか減らすことができない。
【００５６】
グラフ７３は、本発明の実施例１および実施例４において、図１６で説明した約３００ｇ・ｍｍのトルクを有する押さえバネ２６を用いて、凸部３０の半径Ｋを０．６５ｍｍとして５５０ｇ・ｍｍのトルクを生じさせることができるようにした場合のグラフである。
【００５７】
曲率半径がゼロの場合が実施例１に相当し、このとき最大突出量を従来の光ピックアップより小さい約０．６ｍｍとすることができる。これは、実施例１で説明したように凸部３０と係合穴３２の縁部との接触により、凸部３０が移動しようとするときの摩擦力が向上して押さえバネ２６の位置がずれにくくなるためだけでなく、従来と同じトルクを発生しつつ、押さえバネ２６の弾力は従来の光ピックアップより弱いものを用いることができるので凸部３０が係合穴３２からずれにくくなるためである。
【００５８】
以上のように、実施例１のごとく係合穴３２を設けることで最大突出量を抑えることができる。
【００５９】
また、実施例４のごとく屈曲部３１の曲率半径を大きくすることで最大突出量をさらに減らすことができる。グラフ７３において曲率半径を最大の約１ｍｍとした場合、最大突出量を従来の約０．２２ｍｍと比べて約１／４の約０．０５ｍｍまで減らすことができる。
【００６０】
カーオーディオ装置１は予め定め厚みが定められている場合が多い。また、光ディスク装置２に同時に挿入できる光ディスク１２の枚数も予め定められている（例えば、６枚）場合が多い。
【００６１】
カーオーディオ装置１は、光ディスク装置２だけでなく、ラジオ受信部４、カセットテープ記録再生装置５も搭載される。そのため、光ディスク装置２は、予め定められている同時に挿入できる光ディスク１２の枚数を満足しつつ極力薄くする必要がある。ここで、光ディスク装置２および光ピックアップ３の設計寸法配分を考慮すると、屈曲部３１の最大突出量が０．２ｍｍ以下となることが望ましい。本実施例では、グラフ７３に示すように屈曲部３１の曲率半径を０．４８ｍｍ以上にすると、最大突出量を０．２ｍｍ以下にできるため好ましい。
【００６２】
なお、実施例１において凸部３０は半球状と記載したが、球面を有する形状であればよい。
【００６３】
また、実施例１〜実施例４において、板状の放熱部２５はレーザユニット２４が発する熱を放射させることができれば、その材質は限定されない。また、板状の放熱部２５は平面状でもよく、箱状などの立体であってもよい。
【００６４】
また、実施例１〜実施例４において、板状の放熱部２５に形成される係合穴３２は貫通穴であると記載したが、凸部３０と係合穴３２の縁部が接触できれば貫通していない穴であってもよい。
【００６５】
また、実施例１〜実施例４において、レーザユニット２４はレーザ光を発振し光ディスク１２からデータを読取ると記載したが、レーザユニット２４は光ディスク１２へデータを書込むためにレーザ光を発振してもよい。
【００６６】
また、実施例１〜実施例４において、押さえバネ２６に凸部３０を形成し、板状の放熱部２５に凸部３０と接触する係合穴３２が形成されると記載したが、押さえバネ２６に係合穴３２が形成され板状の放熱部２５に凸部が形成されてもよい。
【産業上の利用可能性】
【００６７】
以上のように、本発明にかかる光ピックアップは、押さえバネの屈曲部が光ピックアップからの突出しにくくし、光ディスクと光ピックアップとの間隔を小さくした薄型の光ディスク装置を提供することができる。本発明にかかる光ピックアップは、例えば光ディスク装置を内蔵するカーオーディオ装置等に用いる光ピックアップとして有用である。
【図面の簡単な説明】
【００６８】
【図１】本発明の実施１における光ピックアップを内蔵するカーオーディオ装置の斜視図
【図２】本発明の実施１におけるカーオーディオ装置に内蔵される光ディスク装置の側面図
【図３】図２のＩ−Ｉ位置から見た光ディスク装置の上面図
【図４】本発明の実施例１における光ピックアップの拡大図
【図５】本発明の実施例１における光ピックアップの側面図
【図６】本発明の実施例１における光ピックアップの分解斜視図
【図７】本発明の実施例１における光ピックアップの要部断面図
【図８】本発明の実施例１における光ピックアップの作用説明図
【図９】本発明の実施例２における光ピックアップの作用説明図
【図１０】本発明の実施例３における光ピックアップの要部断面図
【図１１】本発明の実施例３における光ピックアップの作用説明図
【図１２】本発明の実施例３における光ピックアップの要部断面図
【図１３】本発明の実施例４における光ピックアップの要部断面図
【図１４】本発明の実施例４における光ピックアップの比較説明図
【図１５】本発明の実施例４における光ピックアップの作用説明図
【図１６】本発明における凸部の断面の半径とトルクとの関係を示すグラフ
【図１７】本発明における曲率半径と最大突出量との関係を示すグラフ
【図１８】従来の光ピックアップの断面図
【図１９】従来の光ピックアップの作用説明図
【符号の説明】
【００６９】
２  光ディスク装置
３  光ピックアップ
１２  光ディスク
１４  トレイ
２３  光学台
２４  レーザユニット
２５  放熱板
２６  押さえバネ
３０  凸部
３１  屈曲部
３２  係止穴
【図１】
2008243308.tif 000003
【図２】
2008243308.tif 000004
【図３】
2008243308.tif 000005
【図４】
2008243308.tif 000006
【図５】
2008243308.tif 000007
【図６】
2008243308.tif 000008
【図７】
2008243308.tif 000009
【図８】
2008243308.tif 000010
【図９】
2008243308.tif 000011
【図１０】
2008243308.tif 000012
【図１１】
2008243308.tif 000013
【図１２】
2008243308.tif 000014
【図１３】
2008243308.tif 000015
【図１４】
2008243308.tif 000016
【図１５】
2008243308.tif 000017
【図１６】
2008243308.tif 000018
【図１７】
2008243308.tif 000019
【図１８】
2008243308.tif 000020
【図１９】
2008243308.tif 000021